【手続補正書】
【提出日】平成23年9月13日(2011.9.13)
【手続補正１】
【補正対象書類名】明細書
【補正対象項目名】００４４
【補正方法】変更
【補正の内容】
【００４４】
＜エマルジョンマスク用電離放射線硬化型保護液＞
・ウレタンアクリレートオリゴマー                  ３部
（アートレジン UN904：根上工業社）
・ウレタンアクリレートモノマー                    １部
（ＮＫエステル A-TMMT：新中村工業社）
・アクリル変性４級アンモニウム塩                  １部
（ＤＭＡＥＡ−Ｑ：興人社、固形分７９％）
・離型剤                                    ０．３５部
（末端基に不飽和結合を持つポリシロキサン変性ポリマー、固形分７０％）
・光ラジカル重合開始剤                      ０．３５部
（イルガキュア184：チバ・ジャパン社）
・希釈溶媒                                      １５部
【手続補正２】
【補正対象書類名】明細書
【補正対象項目名】００４６
【補正方法】変更
【補正の内容】
【００４６】
＜エマルジョンマスク用電離放射線硬化型保護液＞
・ウレタンアクリレートオリゴマー                  ３部
（アートレジン UN904：根上工業社）
・ウレタンアクリレートモノマー                １．２部
（ＮＫエステル A-TMMT：新中村工業社）
・アクリル変性４級アンモニウム塩              ０．８部
（ＤＭＡＥＡ−Ｑ：興人社、固形分７９％）
・離型剤                                    ０．３５部
（末端基に不飽和結合を持つポリシロキサン変性ポリマー、固形分７０％）
・光ラジカル重合開始剤                      ０．３５部
（イルガキュア184：チバ・ジャパン社）
・希釈溶媒                                      １５部
【手続補正３】
【補正対象書類名】明細書
【補正対象項目名】００４８
【補正方法】変更
【補正の内容】
【００４８】
＜エマルジョンマスク用電離放射線硬化型保護液＞
・ウレタンアクリレートオリゴマー                  ２部
（アートレジン UN904：根上工業社）
・ウレタンアクリレートモノマー                １．２部
（ＮＫエステル A-TMMT：新中村工業社）
・アクリル変性４級アンモニウム塩                  ２部
（ＤＭＡＥＡ−Ｑ：興人社、固形分７９％）
・離型剤                                    ０．３５部
（末端基に不飽和結合を持つポリシロキサン変性ポリマー、固形分７０％）
・光ラジカル重合開始剤                      ０．３５部
（イルガキュア184：チバ・ジャパン社）
・希釈溶媒                                      １５部
【手続補正４】
【補正対象書類名】明細書
【補正対象項目名】００５０
【補正方法】変更
【補正の内容】
【００５０】
＜エマルジョンマスク用電離放射線硬化型保護液＞
・ウレタンアクリレートオリゴマー                  ３部
（アートレジン UN904：根上工業社）
・ウレタンアクリレートモノマー                １．３部
（ＮＫエステル A-TMMT：新中村工業社）
・アクリル変性４級アンモニウム塩              ０．６部
（ＤＭＡＥＡ−Ｑ：興人社、固形分７９％）
・離型剤                                    ０．３５部
（末端基に不飽和結合を持つポリシロキサン変性ポリマー、固形分７０％）
・光ラジカル重合開始剤                      ０．３５部
（イルガキュア184：チバ・ジャパン社）
・希釈溶媒                                      １５部
【手続補正５】
【補正対象書類名】明細書
【補正対象項目名】００５２
【補正方法】変更
【補正の内容】
【００５２】
＜エマルジョンマスク用電離放射線硬化型保護液＞
・ウレタンアクリレートオリゴマー                  ２部
（アートレジン UN904：根上工業社）
・ウレタンアクリレートモノマー                    １部
（ＮＫエステル A-TMMT：新中村工業社）
・アクリル変性４級アンモニウム塩              ２．２部
（ＤＭＡＥＡ−Ｑ：興人社、固形分７９％）
・離型剤                                    ０．３５部
（末端基に不飽和結合を持つポリシロキサン変性ポリマー、固形分７０％）
・光ラジカル重合開始剤                      ０．３５部
（イルガキュア184：チバ・ジャパン社）
・希釈溶媒                                      １５部
【手続補正６】
【補正対象書類名】明細書
【補正対象項目名】００５４
【補正方法】変更
【補正の内容】
【００５４】
＜エマルジョンマスク用電離放射線硬化型保護液＞
・ウレタンアクリレートオリゴマー                  ３部
（アートレジン UN904：根上工業社）
・ウレタンアクリレートモノマー                １．５部
（ＮＫエステル A-TMMT：新中村工業社）
・アクリル変性４級アンモニウム塩              ０．４部
（ＤＭＡＥＡ−Ｑ：興人社、固形分７９％）
・離型剤                                    ０．３５部
（末端基に不飽和結合を持つポリシロキサン変性ポリマー、固形分７０％）
・光ラジカル重合開始剤                      ０．３５部
（イルガキュア184：チバ・ジャパン社）
・希釈溶媒                                      １５部
【手続補正７】
【補正対象書類名】明細書
【補正対象項目名】００５６
【補正方法】変更
【補正の内容】
【００５６】
＜エマルジョンマスク用電離放射線硬化型保護液＞
・ウレタンアクリレートオリゴマー                  １部
（アートレジン UN904：根上工業社）
・ウレタンアクリレートモノマー                １．６部
（ＮＫエステル A-TMMT：新中村工業社）
・アクリル変性４級アンモニウム塩              ２．８部
（ＤＭＡＥＡ−Ｑ：興人社、固形分７９％）
・離型剤                                    ０．３５部
（末端基に不飽和結合を持つポリシロキサン変性ポリマー、固形分７０％）
・光ラジカル重合開始剤                      ０．３５部
（イルガキュア184：チバ・ジャパン社）
・希釈溶媒                                      １５部
【手続補正８】
【補正対象書類名】明細書
【補正対象項目名】００５８
【補正方法】変更
【補正の内容】
【００５８】
＜エマルジョンマスク用電離放射線硬化型保護液＞
・ウレタンアクリレートオリゴマー                  ３部
（アートレジン UN904：根上工業社）
・ウレタンアクリレートモノマー                    １部
（ＮＫエステル A-TMMT：新中村工業社）
・アクリル変性リン酸エステル                      １部
（ライトアクリレート P-1A：共栄社化学社、固形分１００％）
・離型剤                                    ０．３５部
（末端基に不飽和結合を持つポリシロキサン変性ポリマー、固形分７０％）
・光ラジカル重合開始剤                      ０．２５部
（イルガキュア184：チバ・ジャパン社）
・希釈溶媒                                ２０．７５部
【手続補正９】
【補正対象書類名】明細書
【補正対象項目名】００６２
【補正方法】変更
【補正の内容】
【００６２】
＜エマルジョンマスク用電離放射線硬化型保護液＞
・ウレタンアクリレートオリゴマー                  ４部
（アートレジン UN904：根上工業社）
・ウレタンアクリレートモノマー                    １部
（ＮＫエステル A-TMMT：新中村工業社）
・離型剤                                    ０．３５部
（末端基に不飽和結合を持つポリシロキサン変性ポリマー、固形分７０％）
・光ラジカル重合開始剤                      ０．３５部
（イルガキュア184：チバ・ジャパン社）
・希釈溶媒                                      １５部